(57)【要約】【目的】この発明は、主に洗濯物などを、簡易的に室内に干す為の、吊り下げ器具に関するもので、今まで使われていなかった空間を活用して、雨の日でも、室内に洗濯物を干す事を可能にする。【構成】２本の腕状部材を交差させて、回転自在にピン結合し、室内の梁の、下向きに凸になった部分を挟んで吊り下げる。腕状部材の反対側端部と端部を糸状部材で連結し、この糸状部材に洗濯物などを掛ける事で、自重により梁を挟んで掴み、吊り下げる。本体には、指で開閉及び保持する為の孔や粗面を設ける。また、糸状部材取り付け部の間に、ガイド機構を設け、糸の張力の方向を変える事で、本体の開閉角度の影響を受けずに、常に洗濯物の重量を効率良く、梁を挟む力に変換する。【選択図】　図２
2004136056.tif 000002
【特許請求の範囲】
【請求項１】
２本の腕状部材を交差させて回転自在にピン結合し、腕状部材の開閉によって物体を挟んで掴む吊り下げ装置において、物体を挟む部分と反対側に、指を入れて開閉させる孔、または凹部、または粗面を設け、なおかつ、物体を挟む部分と反対側の、腕状部材先端付近と先端付近とを、糸またはワイヤー、または、これに類似した部材で連結する。この糸状部材は、１本の連続した物の他に、複数の糸状部材を連結した場合も含まれる。以上の構成により、前記の糸状部材に品物を吊るしたり、引っ張り等の外力を加える事で、物体を挟む力を発生させる事を特徴とする、クリップ型の簡易吊り下げ装置。
【請求項２】
２本の腕状部材上の、糸状部材取り付け部を、Ａ点及びＢ点と表した時、Ａ点とＢ点の間に、糸状部材を受ける為のガイド機構を設ける。ガイド機構とは、例えば貫通孔が開いたプレートや、釣針型のフックなどを指し、糸状部材を通して、その方向を変更させる装置の事で気ピン結合部に別の部材を取り付けるか、または、各腕状部材に取り付けた略同長さの部材で保持され、腕状部材が開閉しても、Ａ点及びＢ点からの距離が、常にほぼ等距離になる様に構成する。Ａ点から伸びた糸状部材は、前記のガイド機構を通り、品物を吊るす為の所定の長さを確保した後、再度ガイド機構を通り、その先端がＢ点に連結されている事を特徴とする、請求項１に記載の、クリップ型の簡易吊り下げ装置。
【請求項３】
前記Ａ点とＢ点の近傍で、各腕状部材上に、ガイド機構を設け、または、ガイド機構をＡ点とＢ点の近傍にそれぞれ取り付ける。Ａ点から伸びた糸状部材は、Ｂ点近傍のガイド機構を通り、品物を吊る為の所定の長さを確保した後、Ａ点近傍のガイド機構を通り、次に、Ｂ点に連結されている事を特徴とする、請求項１に記載の、クリップ型の簡易吊り下げ装置。
【請求項４】
回転中心であるピン結合部から、物体を挟む部分までの直線距離を、Ｍとし、ピン結合部から、糸状部材取り付け部までの直線距離を、Ｎと表する。また、物体をはさむ部分と、挟まれる物体との摩擦係数を、μと表した時、前記の３つが、μ×Ｎ÷Ｍ＞１の関係になっている、または、Ｎ÷Ｍ＞２の関係になっている事を特徴とする、請求項１〜３に記載の、クリップ型の簡易吊り下げ装置。
【請求項５】
２本の腕状部材を、スプリングまたはゴム等の弾性部材で連結し、または、請求項２に記載のガイド機構近傍と、各腕状部材とを弾性部材で連結し、外力が加わらない場合には、所定の開閉角度に保持される様に構成した事を特徴とする、請求項１〜４に記載の、クリップ型の簡易吊り下げ装置。
【請求項６】
本体である、２本の腕状部材は硬質樹脂か金属で成形し、物体を挟む部分にはゴムまたは軟質樹脂を取り付ける。または、２本の腕状部材を硬質ゴムで成形し、ピン結合部分は、各腕状部材が接触しない様に、間にワッシャまたは請求項２に記載のガイド機構用プレートを装置する。また、物体を挟む部分は、粗平面または略凸形状に成形されている事を特徴とする、請求項１〜５に記載の、クリップ型の簡易吊り下げ装置。
【請求項７】
物体を挟んで掴む部分は、腕状部材に嵌め込み、接着、貼付け、圧入、またはネジ込み等で、脱着自在に構成し、挟む部分の幅が異なる複数の部品を使用可能に構成した事を特徴とする、請求項１〜６に記載の、クリップ型の簡易吊り下げ装置。
【発明の詳細な説明】
【０００１】
【発明の属する技術分野】
この発明は、主に洗濯物などを、簡易的に室内に干す為の、吊り下げ器具に関する。
【０００２】
【従来の技術】
室内に洗濯物などを干す場合、大型で専用の室内物干し器具は市販されている。また、壁にハンガーなどを掛ける場合は、壁に釘などを打ち込むか、接着剤や吸盤等でフック等を、壁や柱に貼り付ける方法があった。
【０００３】
【発明が解決しようとしている課題】
室内用の物干し器具は、晴天の未使用時には邪魔になる。壁に掛ける方法では、家の壁や柱に傷が付く恐れが有り、接着剤は作業性が悪く、吸盤は相手物が平面以外では使えなかった。また、この方法では洗濯物が壁に張り付く為、乾きが悪い。
部屋と廊下などの境にある、障子や襖やドアを開ければ、洗濯物を干せる空間は確保できるが、その上部の梁から洗濯物を吊り下げる為の装置は、存在しなかった。
梁の、下向き凸形状になった部分に洗濯物などを吊るそうとした場合、洗濯バサミ等ではスプリングが弱すぎて洗濯物が落ちてしまい、スプリングを強力にすれば、脱着時に強い力が必要になる為、雨天時だけ、簡易的に洗濯物を干す為の装置として、実用的では無い。
【０００４】
【課題を解決する為の手段】
障子や襖やドアの上部の梁には、ほとんどの場合、下向きに凸になった部分が存在する。
例えば襖ならば、襖が嵌め込まれて滑り動く溝の両側は下向きに凸形状になっている。
本発明は、襖を開けた時の空間に着目し、前記の下向き凸形状部をはさんで洗濯物等を簡易的に吊り下げる装置である。
本発明品の、物体をはさむ力は、吊り下げられる品物の自重に比例して大きくなる様に構成されており、理論的には、どんなに重たい品物でも吊り下げ可能である。
また、梁の凸部を締め付ける為の強力なスプリング等も不要な為、脱着は容易であり、雨の日などの簡易的な使用には、非常に適している。
梁等をはさむ部分に、ゴム等の軟質部材を用いれば、梁に傷をつける事も無い。
【０００５】
【発明の実施の形態】
本発明の実施例を、図１〜４を引用し、請求項１〜６の内容に沿って述べる。
【０００６】
２本の腕状部材３を、２のピンで結合し、図１の様に構成する。腕の先端部４は、糸状部材で連結する。糸状部材は、略中央部の８で連結しても良い。また、８に吊り下げ用のリング部材６などを取り付けて利便性を増し、この６で糸状部材を連結する方法もある。
この形態で、物体を挟む部分１を、梁の下向き凸部に当て、８または６に洗濯物などを吊るせば、洗濯物の自重により１が閉じて梁を掴む為、本体及び洗濯物は、梁に吊り下げる事ができる。脱着時には、７の孔に指を入れて操作すれば、容易に脱着する事ができる。
また、開閉操作をするには、図１の様に孔７を設ける方法の他に、図２の１１及び１２の部分に、凹部を設けたり、細かい凹凸を形成した粗面を設けても、同様の効果が得られる。
掴む物体が所定の厚さで、３が大きく開き、図１の様に、糸状部材５が、４−８−４で鈍角を形成していれば、６または８に加わった荷重は、増幅されて４に加わり、３を閉める力になるので、吊り下げ装置としての機能は確保できる。以上が、請求項１の実施例である。
【０００７】
図１で、掴む物体が薄い場合は、３が閉じる為、糸状部材５がたるんでしまう。４−８−４で形成される角度が小さく、鋭角になってしまうと、同じ荷重を加えても１が物体を挟む力が小さくなり、本体は、洗濯物と共に、梁から落下してしまう。そこで、図２の様にプレート９を設け、糸状部材取り付け部４と４の間に、糸状部材のガイド機構１０を装置する。
洗濯物などを吊るす６または、中央部８から伸びた糸状部材は、ガイド１０を通って、４に取り付けられ、洗濯物の自重で４を略水平に引っ張り、３を閉じる力に変換される。
この構成により、１が掴む物体の厚さが変わり、腕状部材３の開閉角度が変化しても、常に糸状部材５は、ほぼ同じ方向から４を引くので、梁の厚さが変化しても、吊り下げ装置としての機能を満足する事ができる。以上が、請求項２の実施例である。
【０００８】
図２では、請求項２の内容を表しているが、同様の機能を確保する方法として、請求項３の方法がある。この内容を、図３を使って説明する。
腕状部材３上で、４の近傍に、ガイド機構４を設ける。図３の様に孔を開けるのが、簡単な実施方法であるが、凹部を設けるだけでも、糸状部材のガイドとしての効果は得られる。
Ａ点側の４に取り付けられた糸状部材は、図３の様に、Ｂ点近傍のガイド１３を通り、８を経由してからＡ点近傍のガイド１３を通り、最後に、Ｂ点側の４に取り付ける。
以上の様に構成すれば、図２の形態と同様、掴む物体１６の厚さが変化して腕状部材３の開閉角度が変わっても、常に糸状部材が４を引く力の強さと方向は、略一定になる為、梁の下向き凸部の厚さが数種類存在しても、使用する事ができる。以上が、請求項３の実施例である。
尚、図３の１５は、襖や障子の上部に設けられた梁の断面図で、１６は、その溝と溝との間の、下向き凸部分である。１７は、洗濯物を干すハンガーで、６に掛けて、糸状部材５に張力を加えた状態を表す。ハンガーに掛けられた洗濯物は省略した。
【０００９】
本発明では、梁などの物体を挟むのに、てこの原理を使用しているが、最も効率良く機能させる為には、支点から力点までの距離と、支点から作用点までの距離を、所定の割合に設定する必要がある。それを、図２を使って説明する。ピン結合部２から、物体を挟む部分１までの距離をＭと表し、２から４までの距離をＮと表す。１と挟まれる物体との摩擦係数をμと表した時、各部材の寸法割合を、μ×Ｎ÷Ｍ＞１の関係に設定しておけば、請求項２及び３の構成では、３の開閉角度に関係無く、洗濯物等の自重により発生した１の挟む力が自重を支え、梁などを掴んで落ちずに吊り下げられる。
一般論として、摩擦係数を０．５と考えれば、前記の関係式は、Ｎ÷Ｍ＞２と表す事ができる。即ち、図２において、距離Ｎが、距離Ｍの２倍以上に設定すれば、機能を確保する事ができると言う事である。以上が、請求項４の実施例である。
【００１０】
本発明は、洗濯物などを吊り下げている時には、梁などを挟んでいるが、発明品単独では挟む力が発生しない為、落ちてしまう。そこで、腕状部材３を、ゴムまたスプリング等で連結する事で、その張力により、単独の状態でも物体を挟む力が発生する様に構成する。
図２では、プレート９と腕状部材３を弾性部材１４で連結してある。また、図３では、腕状部材３と３を、７の孔を利用して、弾性部材１４で連結した。以上が、請求項５の実施例である。
また、弾性部材を前記とは逆に圧縮で使用すれば、単独状態では常に１が開いた状態に保持される為、洗濯物などを吊り下げない時は自動的に梁からはずれ、簡易的に洗濯物などを吊り下げる装置として、利便性が高い。以上が、請求項５の実施例である。
【００１１】
本発明品を製品化する場合、硬質樹脂などで腕状部材３を成形すれば、コストも安く、大量生産に適する。しかし、硬質樹脂では、物体を挟む部分１の摩擦係数が低く、十分に本発明品の機能を果たすことができない。そこで、１の部分にゴムなどを貼り付ける。
さらに、製造工数を減らす方法として、腕状部材３を、摩擦係数の高い硬質ゴムで成形する。しかし、この方法では、ピン結合部の摩擦係数が高くなってしまい、３が滑らかに開閉しないと言う問題が発生するので、ピン結合の際、３と３の間に、摩擦係数の低いワッシャを挿入するか、図２の様に、プレート９を挿入する。また、１の部分は、略凸形状に成形する事により、３の開閉角度が変わっても、常に一定の接触面積で物体を挟む事ができる。
以上が、請求項６の実施例で、本構成によれば、ピン結合部２は滑らかに回転し、物体を挟む部分１は、高い摩擦係数を確保する事ができる。
【００１２】
挟んで掴む梁の厚さが、極端に厚い場合、腕状部材３の開閉だけでは掴めない場合がある。その際は、図４の様に、挟む部分１を脱着自在に３に取り付ける。図４は、別部品１８を、小ネジ１９を使って３に取り付けた形態である。この様に構成すれば、１と１の間隔である距離Ｌが、別部品１８を数種類用意するだけで、大きく変更する事が可能で、汎用性が非常に高まる。また、３を硬質樹脂で成形し、１８を硬質ゴムで成形すれば、２は滑らかに回転可能で、１は、高摩擦係数を確保できる。以上が、請求項７の実施例である。
【００１３】
【本発明の効果】
本発明によれば、今まで使用されていなかった梁に、洗濯物などを吊り下げて干す事が可能で、しかも、使用しない時は、簡単にはずして片付ける事ができる。
【図面の簡単な説明】
【図１】本発明の、請求項１、４、６、の実施例で、クリップ型の簡易吊り下げ装置である。
【図２】本発明の、請求項２、４、５、６の実施例で、クリップ型の簡易吊り下げ装置である。
【図３】本発明の、請求項３、４、５、６の実施例で、クリップ型の簡易吊り下げ装置である。
【図４】本発明の、請求項７の実施例である。
【符号の説明】
１、物体を挟み、掴む部分。
２、回転自在に保持する、ピン結合部。リベット、ピン、ボルト・ナット等を用いる。
３、本発明の骨格となる、腕状部材。
４、腕状部材３の端部近傍で、糸状部材を３に取り付ける部分。
５、糸やワイヤーなど。引っ張りに強く、曲げに対してしなやかな特性を持つ、細長い部材。
６、リング状または釣針状の部品。ハンガー等を掛ける為の装置。
７、人間の指を挿入して腕状部材３を開閉する、または、本体を保持する為の孔。
８、糸状部材５が分割されている場合の、連結部。
９、ガイド機構を保持する為の、部材。５の張力に耐えられる材質からなる。
１０、糸状部材５の、引っ張り方向を変える為の、ガイド機構。
１１、腕状部材３の外側に設けた、指で保持する為の凹部または粗面部。
１２、腕状部材３の内側に設けた、指で保持する為の凹部または粗面部。
１３、腕状部材３上で、４の近傍に設けられた、５のガイド機構。
１４、ゴムまたはスプリング等の、弾性部材。
１５、障子や襖の上部に設けられた梁の、断面図。
１６、障子や襖の上部に設けられた梁の断面図で、下向き凸部分。
１７、洗濯物を掛ける、ハンガー。
１８、脱着自在に構成された、物体を挟む部分。
１９、上記の１８を、３に取り付ける為のネジ。
【図１】
2004136056.tif 000003
【図２】
2004136056.tif 000004
【図３】
2004136056.tif 000005
【図４】
2004136056.tif 000006